(57)【特許請求の範囲】
【請求項１】
一対の生命体上にそれぞれ装着する一対の生物感知インタラクティブ装置であり、
当該一対の生物感知インタラクティブ装置の各々は、
前記一対の生命体のうちの何れか一方の生命体の生理信号を感知する生理センサーモジュールと、
前記一対の生命体のうちの他方の生命体の動作を前記一方の生命体の生理信号を通じてコントロールするためのコントロール命令に基づき、前記他方の生命体の側の少なくとも１つの物理装置を起動させて前記生理信号に対応する物理的刺激を発生させる物理式センサーモジュールと、
前記一方の生命体のコントロール命令を当該一方の生命体の側から送信し、前記コントロール命令を前記他方の生命体の側で受信するワイヤレス伝送モジュールと、
前記生理信号を前記一方の生命体の側で保存し、前記コントロール命令を前記他方の生命体の側で保存する保存モジュールと、
前記一方の生命体の側で、前記保存モジュールから読みだした生理信号を前記コントロール命令に変換するとともに前記ワイヤレス伝送モジュールに対し当該コントロール命令を前記他方の生命体の側へ送信させ、前記他方の生命体の側で、前記保存モジュールから読みだしたコントロール命令に基づき前記物理式センサーモジュールに対し前記少なくとも１つの物理装置を起動させて前記生理信号に対応する物理的刺激を発生させるコントロールモジュールと、
前記一方の生命体の画像を撮影するビデオモジュールと、
前記画像を前記他方の生命体の側で表示するディスプレイモジュールと、
を含み、
前記一方の生命体の側で、前記コントロールモジュールは、前記ビデオモジュールに対し前記一方の生命体の画像を撮影させ、前記ワイヤレス伝送モジュールに対し当該画像を前記他方の生命体の側へ送信させ、
前記他方の生命体の側で、前記コントロールモジュールは、前記保存モジュールに対し、前記ワイヤレス伝送モジュールにより受信された前記一方の生命体の画像を保存させ、前記ディスプレイモジュールに対し、前記保存モジュールから読みだした当該画像を表示させ、
当該一対の生物感知インタラクティブ装置の各々は、
前記生理センサーモジュール及び前記物理式センサーモジュールを有するユニットと、
前記ワイヤレス伝送モジュール、前記保存モジュール、前記ビデオモジュール、前記ディスプレイモジュール、及び前記コントロールモジュールを有するユニットと、
から構成され、当該ユニットどうしは相互にワイヤレス通信が可能である
ことを特徴とする生物感知インタラクティブ装置。
【請求項２】
前記生理センサーモジュールは、体温計、血圧計、加速度計、ジャイロスコープ、或いは、当該体温計、当該血圧計、当該加速度計、及び当該ジャイロスコープのうちの何れか２つ以上の組み合わせであることを特徴とする、請求項１に記載の生物感知インタラクティブ装置。
【請求項３】
前記物理式センサーモジュールの少なくとも１つの物理装置は、前記生理センサーモジュールの前記加速度計、前記ジャイロスコープにより感知された生理信号に対応する物理的刺激を発生させるバイブレーター、前記生理センサーモジュールの前記体温計、前記血圧計により感知された生理信号に対応する物理的刺激を発生させるヒーター、電気刺激器、或いは、当該バイブレーター、当該ヒーター、及び当該電気刺激器のうちの何れか２つ以上の組み合わせであることを特徴とする、請求項２に記載の生物感知インタラクティブ装置。
【請求項４】
前記ワイヤレス伝送モジュールはラジオ、Bluetooth（登録商標）、ZigBee（登録商標）、２G、2.5G、2.75G、3G、Wi-Fi（登録商標）或いはWiMAX（登録商標）のワイヤレス伝送技術であることを特徴とする、請求項１に記載の生物感知インタラクティブ装置。
【発明の詳細な説明】
【技術分野】
【０００１】
本発明は生物インタラクションの技術に関するものであって、特に生物感知インタラクティブ装置に関するものである。
【背景技術】
【０００２】
現在の生理信号センサー装置の多くは医療用途に応用されている。例えば心臓病の人には心電図信号採取器を装着し、随時患者の即時心電図信号を計測する。この種のものはこの信号をデジタルデータに変換し、この心電図信号採取器はワイヤレス伝送装置をインストールでき、即時心電図及びデータをを医療施設に伝送できるので、救命システムのリアルタイムモニターとしても使われる。
【０００３】
この種の各種生理信号装置は枚挙にいとまがないが、この種の生理信号センサー装置はインタラクション機能を有しておらず、一方の生理信号によってもう一方の動作をコントロールすることはできず、人間にしか応用できず、人間と動物のインタラクションにまで応用を発展させることができない。
【０００４】
そのため、上述問題を克服すべくの本発明では生物感知インタラクティブ装置及びその方法を提案する。
【発明の概要】
【発明が解決しようとする課題】
【０００５】
本発明の主な目的は、２つの生命体上にそれぞれ生物感知インタラクティブ装置を装着し、一方のユーザーの生理信号を検出することによって、もう一方のユーザーに対して物理的刺激或いは命令を発する生物感知インタラクティブ装置及びその方法を提供することである。
【０００６】
本発明のもう１つの目的は、ペットの訓練や監視に応用できる生物感知インタラクティブ装置及びその方法を提供することである。
【課題を解決するための手段】
【０００７】
上述の目的を達成するために、本発明の提供する生物感知インタラクティブ装置は、生命体上に装着し、生理センサーモジュール、物理式センサーモジュール、第一ワイヤレス伝送モジュール、保存モジュール、コントロールモジュール及びディスプレイユニとを含む。生理センサーモジュールは生命体の生理信号を感知するのに用いる。物理式センサーモジュールはコントロール命令に基づき少なくとも１つの物理装置を起動する。第一ワイヤレス伝送モジュールはコントロール命令を受信する或いは生理信号を送信する。保存モジュールは生理信号及びコントロール命令を保存するのに用いる。ビデオモジュールは生命体の画像を撮影し、コントロールモジュールは生理信号及びコントロール命令を処理するとともに、ビデオモジュールの作動をコントロールし、ディスプレイユニットを通じてビデオモジュールが撮影した画像を映し出す。
【０００８】
本発明が提供する生物感知インタラクティブ装置のインタラクション方法はまた、第一生命体及び第二生命体上にそれぞれ配置した生物感知インタラクティブ装置であり、生物感知インタラクティブ装置上の生理センサーモジュールを利用して第一生命体の生理信号を感知するステップと、生理信号をコントロールモジュールを経由してコントロール命令に変換し、第一ワイヤレス伝送モジュールを通じて第二生命体に伝送するステップと、第二生命体が装着した生物感知インタラクティブ装置を経由してコントロール命令を受信するとともに、物理式センサーモジュールを通じて物理的刺激或いはリマインドを発生させるステップを含む。
【発明の効果】
【０００９】
本発明の提供する生物感知インタラクティブ装置は、ユーザー自身の生理信号を感知できる以外に、さらにその感知内容をもう一方に伝えることができる。前記感知内容は多元化したフィードバックを通すことができ、受信者は人間であっても動物であってもよく、もう一方が感知内容を理解するのに有効であり、システムに趣味性を持たせ、更なる全面性がユーザーの感知性を高め、従来のスクリーンによる単一フィードバックの様式の枠にとらわれることがない。
【図面の簡単な説明】
【００１０】
【図１】本発明の生物感知インタラクティブ装置の実施例を示す図である。
【図２】本発明の生物感知インタラクティブ装置の図１実施例を示すブロック図である。
【図３】本発明の生物感知インタラクティブ装置図１実施例のペットへの応用を示す図である。
【図４】本発明の生物感知インタラクティブ装置のもう１つの実施例を示す図である。
【図５】本発明の生物感知インタラクティブ装置図３実施例のブロック図である。
【図６】本発明の生物感知インタラクティブ装置図３実施例のペットへの応用を示す図である。
【発明を実施するための形態】
【００１１】
本発明の目的、技術内容、特徴、及びそれが達成する効果の更なる理解のために、以下に具体的実施例を挙げながら詳しく説明する。
【実施例】
【００１２】
本発明は生物感知インタラクティブ装置及びその方法を提供するもので、まず図１及び図２を参考にされたい。図１は本発明の生物感知インタラクティブ装置
の実施例を示す図であり、図２は生物感知インタラクティブ装置のブロック図である。この生物感知インタラクティブ装置２０は生命体上に設置し、この生命体は人間或いはペットであることができる。図１の実施例中では第一ユーザー１０及び第二ユーザー１０’の身体上に装着する。
【００１３】
この生物感知インタラクティブ装置２０は、生理センサーモジュール２１、物理式センサーモジュール２２、コントロールモジュール２３、第一ワイヤレス伝送モジュール２４、ビデオモジュール２５、保存モジュール２６及びディスプレイユニット２７を含み、生理センサーモジュール２１は、ユーザー１０の生理信号を感知するのに用い、心電図（ECG）、脳電図（EEG）、筋電図（EMG）、眼電図（EOG）体温計、血圧計、血中酸素濃度計等であることが可能で、ユーザー１０の心電信号、脳電信号、筋電信号、網膜静電位、体温、血圧、血中酸素濃度等の生理数値を感知する、或いは言語センサー器、加速度計、ジャイロスコープ、キーボードなどの装置を利用して、ユーザー１０の発する音や、生み出す動作を受信し、上述の装置を組み合わせることができる。物理式センサーモジュール２２はコントロール命令に基づき、スクリーンディスプレイ、ライト、スピーカー、バイブレーター、ヒーター、電気刺激器或いはそれらの装置の組み合わせ等少なくとも１つの物理装置を起動させる。第一ワイヤレス伝送モジュール２４はラジオ、Bluetooth（登録商標）、ZigBee（登録商標）、２G、2.5G、2.75G、3G、Wi-Fi（登録商標）或いはWiMAX（登録商標）のワイヤレス伝送技術であり、コントロール命令を受信したら物理式センサーモジュール２２へ伝送し或いは生理信号を生理センサーモジュール２１に送信する。ビデオモジュール２５はユーザー１０の画像を撮影し、保存モジュール２６は生理信号、コントロール命令及びビデオモジュール２５が撮影した画像をを保存するのに用いる。コントロールモジュール２３は生理信号及びコントロール命令を処理するとともに、ビデオモジュール２５の作動をコントロールし、画像の撮影を開始するか否かを判断する。ディスプレイユニット２７はビデオモジュール２５が撮影する画像及び生理センサーモジュール２１が感知する生理数値を表示する。
【００１４】
図１及び図２が示す実施例の作動を以下に述べる。生理センサーモジュール２１が第一ユーザー１０の生理信号を感知した後、コントロールモジュール２３を通じて生理信号をコントロール命令に変換するとともに、第一ワイヤレス伝送モジュール２４を通じて第二ユーザー１０’に伝送する。第二ユーザー１０’の身体上の生物感知インタラクティブ装置２０’中の第一ワイヤレス伝送モジュール２４は前記コントロール命令を受信し、コントロールモジュール２３を通じて物理式センサーモジュール２２に伝送し、この物理式センサーモジュール２２を駆動して第二ユーザー１０’に対する物理的刺激或いはリマインドを発生させる。
【００１５】
このほかにも、第一ユーザー１０の画像は生物感知インタラクティブ装置２０中のビデオモジュール２５を通じて撮影することもでき、画像画面は第一ワイヤレス伝送モジュール２４を通じて第二ユーザー１０’の生物感知インタラクティブ装置２０’中に伝送し、ディスプレイユニット２７中で表示され、第二ユーザー１０’に第一ユーザー１０及びその周辺の画像画面を観賞できるよう提供する。生理信号、コントロール命令及び撮影した画像は保存モジュール２６中に保存できる。
【００１６】
図３は本実施例のペットへの応用例である。生物感知インタラクティブ装置２０’は首輪形式で第二ユーザー１０’であるペットの首に装着することができる。生物感知インタラクティブ装置２０が第一ユーザー１０である飼い主の生理信号を受信したとき、並びにコントロール信号を送信したとき、ペットの生物感知インタラクティブ装置２０’はこのコントロール信号を受信するとともに、ペットに対して物理的刺激或いはリマインドを発生させ、ペットに特定の行動をとるように命令する。
【００１７】
図４は本発明のもう１つの実施例を示す図であり、図５は生物感知インタラクティブ装置のブロック図である。この生物感知インタラクティブ装置３０は生命体１０上に設置し、それとは別にホスト４０を備え、この生物感知インタラクティブ装置３０と、同様に生命体１０上に設置したホスト４０はワイヤレス伝送方式によって接続し、この生命体１０は人間でもペットでもよい。図４の実施例中では第一ユーザー１０及び第二ユーザー１０’の身体上に装着するもので、第一、ユーザー１０、第二ユーザー１０’の身体上のホスト４０、４０’はワイヤレスネットワーク５０の接続を通じて伝送通信を行う。ホスト４０は本発明を携帯電話、PDA、腕時計、ネックレス或いはブレスレット形式等と合体するような携帯式装置であってもよい。
【００１８】
本実施例の生物感知インタラクティブ装置３０は生理センサーモジュール３２、物理式センサーモジュール３４、及び第一ワイヤレス伝送モジュール３６を備え、ホスト４０上には第二ワイヤレス伝送モジュール４２、コントロールモジュール４３、第三ワイヤレス伝送モジュール４４、ビデオモジュール４５、保存モジュール４６及びディスプレイユニット４７を備える。生理センサーモジュール３２は、ユーザー１０の生理信号を感知するのに用い、心電図（ECG）、脳電図（EEG）、筋電図（EMG）、眼電図（EOG）体温計、血圧計、血中酸素濃度計等であることが可能で、ユーザー１０の心電信号、脳電信号、筋電信号、網膜静電位、体温、血圧、血中酸素濃度等の生理数値を感知し、或いは言語センサー、加速度計、ジャイロスコープ、鍵盤等の装置を利用してユーザー１０の発する音や生み出す動作を受信するもので、上述の装置の組み合わせでもよい。物理式センサーモジュール３４はコントロール命令に基づき、スクリーンディスプレイ、ライト、スピーカー、バイブレーター、ヒーター、電気刺激器等のような少なくとも１つの物理装置を起動させる。第一ワイヤレス伝送モジュール３６と第二ワイヤレス伝送モジュール４２の間にはラジオ、Bluetooth、ZigBee、２G、2.5G、2.75G、3G、Wi-Fi或いはWiMAXのワイヤレス伝送技術を用い、第二ワイヤレス伝送モジュール４２を使ってコントロール命令をコントロール命令を第一ワイヤレス伝送モジュール３６に伝送してから、物理式センサーモジュール３４に伝送し、或いは第一ワイヤレス伝送モジュール３６は生理センサーモジュール３２の生理信号を第二ワイヤレス伝送モジュール４２に伝送する。第三ワイヤレス伝送モジュール４４はラジオ、Bluetooth、ZigBee、２G、2.5G、2.75G、3G、Wi-Fi或いはWiMAXのワイヤレス伝送技術であり、第一ユーザー１０、第二ユーザー１０’のホスト４０、４０’と伝送通信を行うことができる。ビデオモジュール４５はユーザー１０の画像を撮影し、保存モジュール４６は生理信号、コントロール命令及びビデオモジュール４５が撮影した画像を保存するのに用いる。コントロールモジュール４３は生理信号及びコントロール命令を処理するとともに、ビデオモジュール４５の作動をコントロールし、画像の撮影を開始するか否かを判断する。ディスプレイユニット４７はビデオモジュール４５が撮影した画像及び生理センサーモジュール３２が感知した生理数値を表示する。
【００１９】
図４及び図５が示す実施例の作動を以下に述べる。生理センサーモジュール３２が第一ユーザー１０の生理信号を感知した後、生理信号を第一ワイヤレス伝送モジュール３６を通じてホスト４０中の第二ワイヤレス伝送モジュール４２中に伝送し、コントロールモジュール４３を通じて生理信号をコントロール命令に変換し、第三ワイヤレス伝送モジュール４４を通じて第二ユーザー１０’に伝送する。第二ユーザー１０’の身体上のホスト４０’中の第三ワイヤレス伝送モジュール４４は前記コントロール命令を受信し、第二ワイヤレス伝送モジュール４２を通じて生物感知インタラクティブ装置３０’中に伝送し、物理式センサーモジュール３４を駆動して第二ユーザー１０’に対し物理的刺激或いはリマインドを発生させる。
【００２０】
図６は本実施例のペットへの応用例である。生物感知インタラクティブ装置３０’及びホスト４０’は首輪形式で第二ユーザー１０’のペットの首に装着することができる。生物感知インタラクティブ装置３０’が第一ユーザー１０である飼い主の生理信号を受信したとき、並びにコントロール信号を送信したとき、ペットの生物感知インタラクティブ装置４０’はこのコントロール信号を受信するとともに、ホスト４０’によってペットに対する物理式の刺激或いはリマインドが発生する。そしてホスト４０’上のビデオモジュールはペットの画像を撮影するのにも用いることができ、ディスプレイユニットを通じてペットの現在状況を飼い主に見せることができる。
【００２１】
上述は、本発明の好ましい実施例にすぎず、それは本発明の実施範囲を限定するものではない。本発明の特徴及び精神から離れない範囲で加えた変更や潤色は全て、本発明の特許保護範囲内に属するものとする。
【符号の説明】
【００２２】
１０  第一ユーザー
１０’第二ユーザー
２０、２０’生物感知インタラクティブ装置  
２１  生理センサーモジュール
２２  物理式センサーモジュール
２３  コントロールモジュール
２４  第一ワイヤレス伝送モジュール
２５  ビデオモジュール
２６  保存モジュール
２７  ディスプレイユニット
３０、３０’生物感知インタラクティブ装置
３２  生理センサーモジュール
３４  物理式センサーモジュール
３６  第一ワイヤレス伝送モジュール
４０、４０’  ホスト
４２  第二ワイヤレス伝送モジュール
４３  コントロールモジュール
４４  第三ワイヤレス伝送モジュール
４５  ビデオモジュール
４６  保存モジュール
４７  ディスプレイユニット
５０  ワイヤレスネットワーク
【図１】
0005400072.tif 000002
【図２】
0005400072.tif 000003
【図３】
0005400072.tif 000004
【図４】
0005400072.tif 000005
【図５】
0005400072.tif 000006
【図６】
0005400072.tif 000007